(57)【特許請求の範囲】
【請求項１】
被写体を撮影する撮影手段と、
ユーザの操作入力に応じて前記撮影手段にて撮影された撮影画像に対して編集を施す編集手段と、
前記編集手段にて編集が施された画像をプリント出力する出力手段と、
前記出力手段によるプリント出力処理と並行して、ユーザの操作入力に応じて画像を作成する画像作成手段と、
前記画像作成手段にて作成された画像を送信すべき携帯端末の種別を判定する端末判定手段と、
前記端末判定手段の判定結果に基づいて、前記画像作成手段にて作成された画像を前記携帯端末の種別に適したデータ形式に変換して前記携帯端末に送信する通信制御手段とを備え、
前記画像作成手段は、前記端末判定手段にて判定された携帯端末の種別に適したデータ形式に基づいて、前記撮影画像に対する編集を施すときのユーザインタフェースを設定することを特徴とする写真撮影プリント装置。
【請求項２】
被写体を撮影する撮影手段と、
ユーザの操作入力に応じて前記撮影手段にて撮影された撮影画像に対して編集を施す編集手段と、
前記編集手段にて編集が施された画像をプリント出力する出力手段と、
前記出力手段によるプリント出力処理と並行して、ユーザの操作入力に応じて画像を作成する画像作成手段と、
前記画像作成手段にて作成された画像を送信すべき携帯端末の種別を判定する端末判定手段と、
前記端末判定手段の判定結果に基づいて、前記画像作成手段にて作成された画像を前記携帯端末の種別に適したデータ形式に変換して前記携帯端末に送信する通信制御手段とを備え、
前記画像作成手段は、前記端末判定手段にて判定された携帯端末の種別が複数形式の画像データの受信を許容しているときには、ユーザの操作入力に応じて、各形式の画像データを対象とする複数のユーザインタフェースを切り換え可能とすることを特徴とする写真撮影プリント装置。
【請求項３】
前記画像作成手段は、前記端末判定手段にて判定された携帯端末の種別に適したデータ形式に基づいて、前記撮影画像に対する編集を施すときのユーザインタフェースを設定することを特徴とする請求項２に記載の写真撮影プリント装置。
【請求項４】
前記端末判定手段は、ユーザによって入力された携帯電話機のメールアドレスに基づいて、前記携帯電話機の種別を判定するとともに、
前記通信制御手段は、前記端末判定手段にて判定された携帯電話機の種別に応じて、前記編集手段にて編集が施された画像を、前記携帯電話機が対応する形式のメールデータに変換して前記携帯電話機に送信することを特徴とする請求項１から３のいずれか１項に記載の写真撮影プリント装置。
【請求項５】
被写体を撮影する撮影手段と、
ユーザの操作入力に応じて前記撮影手段にて撮影された撮影画像に対して編集を施す編集手段と、
前記編集手段にて編集が施された画像をプリント出力する出力手段と、
前記出力手段によるプリント出力処理と並行して、ユーザの操作入力に応じて画像を作成する画像作成手段と、
前記画像作成手段にて作成された画像を送信すべき携帯端末の種別を判定する端末判定手段と、
前記端末判定手段の判定結果に基づいて、前記画像作成手段にて作成された画像を前記携帯端末の種別に適したデータ形式に変換して前記携帯端末に送信する通信制御手段とを備え、
前記画像作成手段は、前記端末判定手段にて判定された携帯端末の種別に適したデータ形式に基づいて、前記撮影画像に対する編集を施すときのユーザインタフェースを設定することを特徴とする写真撮影プリントシステム。
【請求項６】
被写体を撮影する撮影手段と、
ユーザの操作入力に応じて前記撮影手段にて撮影された撮影画像に対して編集を施す編集手段と、
前記編集手段にて編集が施された画像をプリント出力する出力手段と、
前記出力手段によるプリント出力処理と並行して、ユーザの操作入力に応じて画像を作成する画像作成手段と、
前記画像作成手段にて作成された画像を送信すべき携帯端末の種別を判定する端末判定手段と、
前記端末判定手段の判定結果に基づいて、前記画像作成手段にて作成された画像を前記携帯端末の種別に適したデータ形式に変換して前記携帯端末に送信する通信制御手段とを備え、
前記画像作成手段は、前記端末判定手段にて判定された携帯端末の種別が複数形式の画像データの受信を許容しているときには、ユーザの操作入力に応じて、各形式の画像データを対象とする複数のユーザインタフェースを切り換え可能とすることを特徴とする写真撮影プリントシステム。
【請求項７】
被写体を撮影する撮影ステップと、
ユーザの操作入力に応じて前記撮影ステップにて撮影された撮影画像に対して編集を施す第１の編集ステップと、
前記第１の編集ステップにて編集が施された画像をプリント出力する出力ステップと、
前記第１の編集ステップにおける前記画像とは異なる画像であって撮影画像に対する編集により作成または編集される画像を送信すべき携帯端末の種別を判定する端末判定ステップと、
前記出力ステップと並行して、前記端末判定ステップにて判定された携帯端末の種別に適したデータ形式に基づいて、前記撮影画像に対する編集を施すときのユーザインタフェースを設定するとともに、該ユーザインタフェースにおけるユーザの操作入力に応じて、前記第１の編集ステップとは異なる画像を作成または編集する第２の編集ステップと、
前記端末判定ステップの判定結果に基づいて、前記第２の編集ステップにて作成または編集された画像を前記携帯端末の種別に適したデータ形式に変換して前記携帯端末に送信する通信制御ステップとを特徴とする写真撮影プリント方法。
【請求項８】
被写体を撮影する撮影ステップと、
ユーザの操作入力に応じて前記撮影ステップにて撮影された撮影画像に対して編集を施す第１の編集ステップと、
前記第１の編集ステップにて編集が施された画像をプリント出力する出力ステップと、
前記第１の編集ステップにおける前記画像とは異なる画像であって撮影画像に対する編集により作成または編集される画像を送信すべき携帯端末の種別を判定する端末判定ステップと、
前記出力ステップと並行して、前記端末判定ステップにて判定された携帯端末の種別が複数形式の画像データの受信を許容しているときには、ユーザの操作入力に応じて、各形式の画像データを対象とする複数のユーザインタフェースを切り換え可能とするとともに、該ユーザインタフェースにおけるユーザの操作入力に応じて、前記第１の編集ステップとは異なる画像を作成または編集する第２の編集ステップと、
前記端末判定ステップの判定結果に基づいて、前記第２の編集ステップにて作成または編集された画像を前記携帯端末の種別に適したデータ形式に変換して前記携帯端末に送信する通信制御ステップとを特徴とする写真撮影プリント方法。
【発明の詳細な説明】
【技術分野】
【０００１】
本発明は、ユーザの写真撮影を行うとともに、その写真を背景画像などと合成した上でプリント出力する写真撮影プリント装置、写真撮影プリントシステム、写真撮影プリント方法に関するものである。
【背景技術】
【０００２】
近時、例えばプリント倶楽部（登録商標）の名称で知られる写真撮影プリント装置がゲームセンタなどに設置され、人気を呼んでいる。写真撮影プリント装置において、ユーザは、撮影室内にて自由なポーズを構えたり、好みの背景を選択したりしたうえで自分の画像を撮影し、撮影画像に、落書き処理やスタンプ加工処理などの多彩な編集処理を施した状態で、プリント出力することができる。
【０００３】
このような写真撮影プリント装置では、利用回転率の向上を目的として、複数組のユーザが撮影処理とその後の編集処理とを異なる位置（例えば撮影室内と撮影室外）において並行進行する複数接客を広く採用している。そして、このような複数接客に際して、印刷プレイの待ち時間がユーザにとって退屈なものとならないように、待ち時間を有効活用する技術が各種提案されている（特許文献１）。
【０００４】
特許文献１の写真撮影プリント装置では、印刷プレイの待ち時間中、ユーザ参加型の付加機能として、ミニゲームやアンケートの他、撮影画像または編集画像を、通信網Ｎを介してユーザの携帯電話などに送信する技術が提案されている。
【特許文献１】特開２００５−１９２０４５号公報（２００５年７月１４日公開）
【発明の開示】
【発明が解決しようとする課題】
【０００５】
しかしながら、特許文献１の写真撮影プリント装置において、ユーザの携帯電話機などに送信されるのは、印刷プレイの開始前に既に撮影または編集された画像であって、ユーザはこれらのうち送信すべき画像を選択するものに過ぎなかった。
【０００６】
したがって、編集画像については、ユーザの携帯電話機などに送信される画像とプリント紙に印刷出力する画像とは同一の選択肢から選択されるものなので、ユーザにとってはそれ以上画像のバリエーションを増やすことはできなかった。
【０００７】
本発明は、上記の問題点に鑑みてなされたものであり、その目的は、印刷出力の待ち時間を有効活用して、バリエーション豊富な編集画像をユーザに提供する写真撮影プリント装置、写真撮影プリントシステム、写真撮影プリント方法を実現することにある。
【課題を解決するための手段】
【０００８】
本発明に係る写真撮影プリント装置は、前記課題を解決するために、被写体を撮影する撮影手段と、ユーザの操作入力に応じて前記撮影手段にて撮影された撮影画像に対して編集を施す編集手段と、編集手段にて編集が施された画像をプリント出力する出力手段と、前記出力手段によるプリント出力処理と並行して、ユーザの操作入力に応じて画像を作成する画像作成手段と、画像作成手段にて作成された画像を送信すべき携帯端末の種別を判定する端末判定手段と、前記端末判定手段の判定結果に基づいて、画像作成手段にて作成された画像を前記携帯端末の種別に適したデータ形式に変換して前記携帯端末に送信する通信制御手段とを備えることを特徴としている。
【０００９】
また、本発明に係る写真撮影プリントシステムは、前記課題を解決するために、被写体を撮影する撮影手段と、ユーザの操作入力に応じて前記撮影手段にて撮影された撮影画像に対して編集を施す編集手段と、編集手段にて編集が施された画像をプリント出力する出力手段と、前記出力手段によるプリント出力処理と並行して、ユーザの操作入力に応じて画像を作成する画像作成手段と、画像作成手段にて作成された画像を送信すべき携帯端末の種別を判定する端末判定手段と、前記端末判定手段の判定結果に基づいて、画像作成手段にて作成された画像を前記携帯端末の種別に適したデータ形式に変換して前記携帯端末に送信する通信制御手段とを備えることを特徴としている。
【００１０】
また、本発明に係る写真撮影プリント方法は、前記課題を解決するために、被写体を撮影する撮影ステップと、ユーザの操作入力に応じて前記撮影ステップにて撮影された撮影画像に対して編集を施す第１の編集ステップと、前記第１の編集ステップにて編集が施された画像をプリント出力する出力ステップと、前記出力ステップと並行して、ユーザの操作入力に応じて、第１の編集ステップとは異なる画像を作成または編集する第２の編集ステップと、第２の編集ステップにて作成または編集された画像を送信すべき携帯端末の種別を判定する端末判定ステップと、前記端末判定ステップの判定結果に基づいて、第２の編集ステップにて作成または編集された画像を前記携帯端末の種別に適したデータ形式に変換して前記携帯端末に送信する通信制御ステップとを特徴としている。
【００１１】
上記の構成において、編集ないし画像作成には、入力用のタッチペンとタッチパネルとの組み合わせや、コンピュータ用ディスプレイとマウスとの組み合わせなど任意のユーザインタフェースを用いることができる。携帯端末としては、携帯電話機が代表的なものであるが、データの送受信機能を備えるＰＤＡなどであってもよい。
【００１２】
携帯端末の種別に適したデータ形式とは、例えば、携帯電話機の通信キャリア会社別に規定された個別のデータ形式や、特定の機種の携帯電話機に備えられた機能を利用するための個別のデータ形式、携帯端末のディスプレイに応じた画素数を有する画像のデータ形式などをいう。また、携帯端末の種別に適したデータ形式は、その携帯端末とのデータないし電子メールの送受信に適するデータ形式などを含む。
【００１３】
また、本発明に係る写真撮影プリント装置は、上記の構成において、前記編集手段と前記画像作成手段とが、装置筐体の同一側面に設けられていることも好ましい。さらに、上記の構成において、前記編集手段と前記画像作成手段とが共通するハードウェア構成であることも好ましい。これら構成によれば、ユーザはほとんど移動することなく同じ場所で連続的に編集処理と画像作成処理とを実行できることになる。
【００１４】
本発明に係る写真撮影プリント装置は、上記の構成において、前記画像作成手段は、前記端末判定手段にて判定された携帯端末の種別に適したデータ形式に基づいて、前記撮影画像に対する編集を施すときのユーザインタフェースを設定することも好ましい。
【００１５】
上記の構成によれば、携帯端末の種別に適したデータ形式によって、利用可能な画像装飾機能や音声の不可などの付加機能が異なるので、画像データを送信すべき携帯端末の種別とそのデータ形式に応じて画像編集に用いるユーザインタフェースを的確に使い分けることができる。例えば、上記の画像装飾機能や付加機能に対応する操作入力ボタンを備えるユーザインタフェースと、これらボタンを備えないユーザインタフェースとを使い分ける例などが考えられる。
【００１６】
本発明に係る写真撮影プリント装置は、上記の構成において、前記画像作成手段は、前記端末判定手段にて判定された携帯端末の種別が複数形式の画像データの受信を許容しているときには、ユーザの操作入力に応じて、各形式の画像データを対象とする複数のユーザインタフェースを切り換え可能とすることも好ましい。
【００１７】
上記の構成によれば、送信先の携帯端末が対応するデータ形式の種類に応じて、ユーザが的確な臨機応変に選択することが可能となる。
【００１８】
本発明に係る写真撮影プリント装置は、上記の構成において、前記端末判定手段は、ユーザによって入力された携帯電話機のメールアドレスに基づいて、前記携帯電話機の種別を判定するとともに、前記通信制御手段は、前記端末判定手段にて判定された携帯電話機の種別に応じて、前記編集手段にて編集が施された画像を、前記携帯電話機が対応する形式のメールデータに変換して前記携帯電話機に送信することも好ましい。
【００１９】
具体的なメールデータの形式としては、画像装飾機能を備えるＨＴＭＬ形式、テキスト形式（テキスト形式にはＵＲＬへのリンクアドレスを添付することも含む）あるいは、画像を添付ファイルとして送信などが挙げられる。
【発明の効果】
【００２０】
本発明によれば、第１の編集手段による編集処理（第１の編集処理）に加えて第２の編集手段による編集処理（第２の編集処理）を実行することができる。この第２の編集処理は、出力手段による既編集画像の出力と並行されるので、この出力待ち時間を有効に活用するものとなる。また、本発明によれば、第２の編集処理によって得られた編集画像を、送信先の携帯端末の種別に応じた的確なデータ形式によって外部の携帯端末に送信することができる。
【００２１】
さらに、本発明によれば、ユーザにコンピュータの専門知識がなくとも、写真撮影プリント装置のインターフェースを利用することによって、その撮影画像や作成画像などをメールに添付したり、ＨＴＭＬ形式のメールに付加したりする操作を楽しく容易に実現することができる。
【発明を実施するための最良の形態】
【００２２】
本発明の一実施の形態について図１乃至図２３に基づいて説明すれば、以下のとおりである。
【００２３】
本実施の形態に係る写真撮影プリント装置１は、被写体であるユーザの写真を撮影する機能、撮影した写真に対して落書きなどの編集をユーザに行わせる機能、編集された画像をプリント出力する機能、編集された画像を外部の携帯電話機に送信する機能を備えている。
（１．写真撮影プリント装置の外観構成）
図３乃至図５を参照しながら、写真撮影プリント装置１の外観について説明する。
【００２４】
図３は、写真撮影プリント装置１の外観を撮影空間の内部が見える角度から示した斜視図である。撮影空間の内部には、ユーザを撮影するためのデジタルカメラを備えるカメラ、撮影時に種々の照明効果を施すための照明装置、撮影時の音声案内を実行するためのスピーカからなる音声出力部、液晶表示素子などのフラットパネルディスプレイやＣＲＴ（cathode ray tube）等の表示パネルから構成されるとともにカメラユニットに向かって撮影ポーズをとるユーザに対しその様子を画像表示するための表示パネル、ユーザの撮影操作入力などを受け付けるユーザインタフェースのタッチパネルや各種ボタンなど、写真撮影プリント装置において公知の構成が設けられている。
【００２５】
撮影空間の照明装置は、撮影時にフラッシュとして機能するとともに、通常時の照明として機能する。これらの照明装置の内部には、例えばフラッシュ時に発光するストロボ照明部、および通常時の照明として発光する蛍光灯などが備えられている。なお、写真撮影プリント装置１は、通常の照明装置の他に、特定のモードでの特殊な照明効果を目的とする照明装置を適宜配設することが可能である。
【００２６】
図３に示すように、写真撮影プリント装置１は、筐体１１０、筐体１１０を構成する第１ユニット１１１、第２ユニット１１２、天井部１１３、筐体１１０の背面方向に隣設された第３ユニット１１４から構成されている。図３においては、各ユニットの配設状態を説明する便宜上の面方向として、正面１１１−１、右側面１１１−２、背面１１１−３、左側面１１１−４、正面１１２−１、右側面１１２−２、背面１１２−３、左側面１１２−４の各面を図示している。
【００２７】
図４は、写真撮影プリント装置１の外観を、図３の視点とは写真撮影プリント装置１を挟んで反対側の位置を視点からみた状態として示した斜視図である。図４には、図３の部材番号に加えて、第３ユニット１１４の各面に、正面上段（衝立部）１１４−１、正面中段１１４−２、正面下段１１４−３、背面上段１１４−４（衝立部）、背面中段１１４−５、背面下段１１４−６、側面１１４−７の方向説明を付している。
【００２８】
図５に示すように、第３ユニット１１４には、編集処理用タッチパネル２１、タッチペン２２Ａ・Ｂ、音声出力部１６３Ａ・１６３Ｂを備えている。
【００２９】
編集処理用タッチパネル２１は、落書きなどの編集処理における各種メッセージや画像などを表示する。具体的には、編集処理用タッチパネル２１には、落書きなどの画像編集処理時における編集対象の画像および各種編集ツールなどが表示される。このように、写真撮影プリント装置１が動作する上で、ユーザに対して提示すべき各種メッセージや画像などの表示は、撮影空間のディスプレイや編集処理用タッチパネル２１などによって行われる。ユーザは、タッチペン２２Ａ・２２Ｂを編集処理用タッチパネル２１に接触させることによって、処理の進行に応じて表示されるボタンを選択したり、落書きなどの画像描画を行ったりすることが可能となる。このように２本のタッチペン２２Ａ・２２Ｂを備えることによって、編集処理用タッチパネル２１に表示された撮影画像に、２人のユーザが同時に落書き処理（編集処理）などを入力することができる。
【００３０】
なお、第３ユニット１１４の背面中段１１４−５には、図５と同様の編集処理用タッチパネル３０およびタッチペン３１Ａ・Ｂ、音声出力部が備えられている。このタッチペン３１Ａ・Ｂにより、編集処理用タッチパネル３０に表示された撮影画像に対して、プリント処理を待っているユーザが落書き処理を操作入力することができる。編集処理用タッチパネル３０によって実現される編集処理の詳細については後述する。
【００３１】
第３ユニット１１４の側面１１４−７下部には、撮影処理および編集処理を終えた後に、後述のプリンタ（出力手段）３４によってプリントされたプリント紙が排出されるプリント排出口が設けられている。プリンタ３４は、第３ユニット１１４の筐体内部に設けられており、編集作業を終了すると、ユーザはプリント排出口から写真プリントを取り出すことになる。
【００３２】
図６に示すように、写真撮影プリント装置１では、次の流れに従ってサービスが提供される。ここでは、１組目のユーザ（Ａ１・Ａ２）と２組目のユーザ（Ｂ１・Ｂ２）とがプレイとともに移動して流れていく様子を説明する。
【００３３】
まず、１組目のユーザ（Ａ１・Ａ２）が撮影空間における撮影プレイを完了すると第１編集空間へと移動する。そして、１組目のユーザ（Ａ１・Ａ２）が、撮影処理で得た撮影画像を編集処理用タッチパネル２１ないしタッチペン２２Ａ・２２Ｂによって編集する落書きプレイ（編集処理）を行う一方、２組目のユーザ（Ｂ１・Ｂ２）が撮影空間における撮影プレイを行う。通常、編集プレイに要する時間は、撮影プレイに要する時間より長いので、２組目のユーザ（Ｂ１・Ｂ２）の撮影プレイが終わったとき、まだ１組目のユーザ（Ａ１・Ａ２）が第１編集空間は待機している。そこで、２組目のユーザ（Ｂ１・Ｂ２）は撮影プレイが完了すると第２編集空間へと移動して、撮影処理で得た撮影画像を編集処理用タッチパネル３０ないしタッチペン３１Ａ・３１Ｂによって編集する落書きプレイを実行する。ユーザ（Ａ１・Ａ２）、ユーザ（Ｂ１・Ｂ２）は、いずれも落書きプレイを完了すると、各編集空間においてミニゲームプレイを楽しみながらプリント紙の排出を待って、プリント排出口１７１からプリント紙を受け取る。このような構成の写真撮影プリント装置１によれば、第１編集空間と第２編集空間とが分離されているため、最大三重に接客することができるので、ユーザの回転率を高めることが可能となっている。
【００３４】
なお、上記の説明では、プリント排出口１７１を第３ユニット１１４の側面１１４−７下部に設けるものとしたが、プリント排出口１７１の配設位置はこれに限定されるものではない。例えば、第３ユニット１１４の正面下段１１４−３と背面下段１１４−６とにそれぞれプリント排出口１７１を設けて、ミニゲームプレイを完了したユーザがその場でプリント出力を取り出せるようにしてもよい。
【００３５】
（２．写真撮影プリント装置の機能構成）
続いて、図１を参照しながら、写真撮影プリント装置１の機能構成について説明する。
【００３６】
図１に示すように、写真撮影プリント装置１は、その機能構成として、前述構成の他、カメラ（撮影手段）１２、撮影処理用タッチパネル１３、ライブビュー表示パネル１４、照明装置１７ａ・１７ｂ、フロントスピーカ１８ａ・１８ｂ、記憶装置（記録媒体）２３、外部ディスクドライブ（記録媒体）２４、通信インタフェース（Ｉ／Ｆ）（通信手段）２５、携帯電話機通信部２６、ＩＤタグリーダ／ライタ３３、プリンタ３４、プリント紙ユニット４０、制御装置５０を備えている。
【００３７】
ここで、ライブビュー表示パネル１４とは、カメラ１２の近隣に設けられており、カメラ１２に向かって撮影ポーズをとるユーザに対し、ライブビューを表示するための表示パネルである。例えば、液晶表示素子などのフラットパネルディスプレイやＣＲＴ（cathode ray tube）等の表示パネルから構成される。ライブビュー表示パネル１４は、ユーザに対して、カメラ１２に撮影されているユーザを含んだ撮影動画像と、この撮影動画像に対し前影または背景となる装飾用動画像とを合成して、この合成した動画像（ライブビュー画像）をユーザに対して表示している。これにより、カメラユニットに向かって撮影ポーズをとるユーザは、リアルタイムで自身の姿を視認することができ、自身のポーズを確認しながら、撮影処理を行うことができる。
【００３８】
制御装置５０は、写真撮影プリント装置１内における上述した各種構成の動作を統括的に制御する。制御装置５０は、通信インタフェース２５を介して外部装置との通信を制御する通信制御部５１、データ処理部５２、撮影処理用タッチパネル１３、編集処理用タッチパネル２１、編集処理用タッチパネル３０からなるタッチパネル群における表示とユーザの操作入力とを統括制御するタッチパネル制御部５３、編集処理を含む各種画像処理を実行する画像処理部５４を備えている。また、データ処理部５２は、画像データの送受信管理を実行する送受信処理部５２ａ、画像データの送受信にともなって画像データを適宜のデータ形式に変換するデータ変換部５２ｂから構成されている。
【００３９】
制御装置５０は、例えばＰＣベースのコンピュータによって構成される。そして、各種構成の動作制御は、制御プログラムをコンピュータに実行させることによって行われる。
この制御プログラムは、例えばＣＤ−ＲＯＭなどの外部ディスクに記録されているものを、外部ディスクドライブ２４によって読み出して使用する形態であってもよいし、記憶装置２３に記憶されたものを読み出して使用する形態であってもよい。また、通信インタフェース２５を介して、上記制御プログラムを外部ネットワークからダウンロードし、記憶装置２３に記憶してから実行する形態なども考えられる。
【００４０】
記憶装置２３は、ハードディスクなどの不揮発性の記憶装置によって構成されるものである。この記憶装置２３に記憶される内容としては、上記した制御プログラム（画像編集のコンテンツ等の選択モードに応じたデータを含む）、ＯＳ（operating system）プログラム、およびその他各種プログラム、カメラ１２における動作設定値、撮影した画像および編集した画像の画像データなどが挙げられる。カメラ１２における動作設定値としては、装置出荷時やメンテナンス時などに設定されるホワイトバランスの値、撮影画像の明暗などを調整する際の画像処理に関する各種パラメータ値などが挙げられる。
【００４１】
外部ディスクドライブ２４は、ＣＤ−ＲＯＭ、ＣＤ−Ｒ、ＤＶＤ−ＲＯＭ、ＤＶＤ−ＲＡＭなどの外部ディスクを読み書きするドライブ装置である。外部ディスクドライブ２４の代わりに、半導体メモリカードのリーダ／ライタなどを用いることもできる。
【００４２】
ＩＤタグリーダ／ライタ３３およびプリンタ３４は、プリンタユニットを構成しており、このプリンタユニットに対して、写真プリントの出力媒体となるプリント紙４２およびＩＤタグ４１がプリント紙ユニット４０としてセットで装着されるようになっている。
【００４３】
プリンタ３４は、出力すべきプリント用画像の画像データが制御装置５０から送られてくると、その画像データに基づいてプリント紙４２に印刷を行う。このプリンタ３４としては、例えば昇華型プリンタが用いられる。なお、昇華型プリンタを用いる場合には、プリント紙４２およびＩＤタグ４１に加えて、昇華型用インクフィルムがセットとなって納入され、写真撮影プリント装置１に装着される。
【００４４】
ＩＤタグリーダ／ライタ３３は、ＩＤタグ４１に記録されている各種識別情報を読み出して制御装置５０に出力する。ＩＤタグ４１は、メモリ機能を有するＩＣチップなどによって構成される。上記識別情報としては、固有ＩＤ、用紙枚数、用紙種類、および、インク固有の色情報（インクフィルムがセットとなっている場合）などが挙げられる。
【００４５】
制御装置５０は、ＩＤタグリーダ／ライタ３３で読みとった識別情報に基づいて、装着されたプリント紙４２およびインクフィルムが、当該写真撮影プリント装置１において利用可能なものであるかを判定し、利用可能である場合にのみプリンタ３４を動作可能とする。すなわち、写真撮影プリント装置１において指定されているプリント紙４２およびインクフィルム以外は使用できないように設定されていることになる。
【００４６】
また、ＩＤタグ４１に記録されている用紙枚数情報に基づいて、プリント紙４２を使用するごとに用紙枚数をカウントダウンしていくことによって、残りの用紙枚数を把握することが可能となる。よって、残りの用紙枚数が少なくなってきた際に、これを表示手段などによって警告するような構成としておけば、ユーザの利用中に用紙切れを起こすというような不具合を回避することが可能となる。なお、用紙枚数をカウントダウンする際には、ＩＤタグ４１に記録されている用紙枚数情報も書き換えるようにする。これにより、用紙を使い切った場合には、ＩＤタグ４１に記録されている用紙枚数情報も０となり、このＩＤタグ４１を無効にすることが可能となる。
【００４７】
また、ＩＤタグ４１に記録されている用紙種類情報や、インク固有の色情報を読み出すことによって、これらを考慮して画像データの色成分などを補正することにより、その用紙やインクフィルムに的確な画像出力を行うことが可能となる。
【００４８】
ＩＤタグ４１としては、無線によりデータ通信を行うことが可能な非接触型ＩＤタグと、端子が設けられた接触型ＩＤタグとがあり、ＩＤタグリーダ／ライタ３３としては、これらのどちらか一方あるいは両方に対応したものとなる。
【００４９】
なお、上記の例では、ＩＤタグ４１を利用して利用可能なプリント紙４２であるか否かを確認するようになっているが、これに限定するものではなく、例えば、プリント紙４２およびインクフィルムを梱包する梱包材などにプリントされているバーコードなどを利用して確認するような構成としてもよい。しかしながら、バーコードを用いる場合には、含めることのできる情報量が少ないことや、例えば用紙枚数のカウントダウンによる情報の書き換えができない、などの問題がある。
【００５０】
なお、上記のプリント紙４２としては、通常の紙状媒体である紙状シートであってもよいし、粘着シートおよび該粘着シールの粘着面に貼り付けられている剥離シートからなるシールシートであってもよい。
【００５１】
以上、写真撮影プリント装置１の機能構成について説明したが、本実施形態の写真撮影プリント装置１は、通信インタフェース２５を通じて、図２に示すように、インターネット等の通信網Ｎ（ネットワーク）を介し、管理サーバ１００や他の写真撮影プリント装置１と互いにデータ通信を行うことが可能な構成となっている。さらに、本実施形態の写真撮影プリント装置１は、携帯電話機通信部２６の通信機能によって外部の携帯電話機２００と画像データや電子メールなどの各種データ通信を行うことが可能となっている。すなわち、写真撮影プリント装置１は、通信網Ｎを介して外部装置と通信するための通信手段と、携帯電話機の通信回線を介して外部装置と通信するための通信手段とを備えている。
【００５２】
（３．撮影プリント装置の動作フロー）
次に、図７を参照しながら、撮影プリント装置１の動作フローについて説明する。
【００５３】
まず、Ｓ１では、撮影空間における受付処理として、撮影処理用タッチパネル１３に待機状態のデモンストレーション画面が表示される。デモンストレーション画面には、写真撮影プリント装置１のマシーン名称、略称、概略等の情報が含まれる。なお、このデモ画面において、「コインを投入してね」というような、ユーザにコイン投入を促すメッセージを表示してもよい。撮影空間Ｒ１に進入したユーザによりコイン投入がなされ、課金処理部４３による課金処理が終了すると、デモンストレーション画面を撮影処理用画面に切りかえて受付処理Ｓ１を完了する。
【００５４】
Ｓ２では、ユーザが、ライブビュー表示部１４に表示されている自身の姿を視認しながら、撮影処理用タッチパネル１３によって写真撮影する瞬間を指定して、撮影空間における撮影処理を行う。
【００５５】
撮影処理では、ユーザは撮影時のライティング条件や背景となるカーテンの色など各種の撮影条件を選択する。撮影処理用タッチパネル１３に撮影画面（図８）が表示されて、撮影処理が開始されるこの撮影画面には、カーテンを背景としてユーザを撮影した撮影動画像と、装飾動画像とを合成したライブビューがリアルタイムで表示されていると共に、撮影ボタンが表示されている。このライブビューは、ライブビュー表示部１４にも表示されている。
【００５６】
図８の撮影画面内の左側に位置する丸ボタンが、撮影ボタンである。ユーザが撮影ボタンに触れると、カウントダウンが始まる。そして、カウントダウン終了のタイミングで、ライブビュー表示部１４または撮影画面に表示されているライブビューから静止画像が設定される。このようにして、撮影動画像と装飾動画像とを合成した合成動画像から静止画像を設定される。そして、後の編集処理では、ここで設定された静止画像に基づいて編集が行われる。
【００５７】
このような写真撮影が２回行なわれた後、図９に示す撮影確認画面が撮影処理用タッチパネル１３に表示される。この撮影確認画面は、写真撮影された画像を累積して表示するための画面である。なお、図９では、写真撮影によって累積された画像のうち、ユーザがタッチした画像が図中左側に拡大表示され、残り画像が図中右側に並列表示されている。この拡大表示によって、ユーザは所望の画像について詳細に確認することができる。
【００５８】
制御装置５０は、所定の最大撮影時間を経過するまで、上記の写真撮影を計４回繰り返し、撮影枚数が累積限度の８枚となった場合か、所定の最大撮影時間が経過した場合には、図１０に示す画像選択画面を表示する。この画像選択画面では、これまでの処理で写真撮影された静止画像が表示される。そして、ユーザが、プリントを所望する静止画像にタッチすると、タッチされた静止画像が、編集およびプリント出力用の静止画像として選択される。本実施形態の写真処理装置１においては、編集およびプリント出力用の静止画像を４個まで選択できる。
【００５９】
画像選択画面の表示が終了すると、第１編集空間または第２編集空間への移動をユーザに促すためのメッセージを表示する落書き移動画面が撮影処理用タッチパネル１３に表示される。ここで、スピーカ２５からユーザに対して移動を促す案内が流れてもよい。
【００６０】
以上により、Ｓ４の撮影処理が終了するので、撮影処理用タッチパネル１３の表示は、
Ｓ１におけるデモンストレーション画面に戻り、次のユーザを待機する。
【００６１】
続けて、第１編集空間における写真撮影プリント装置１の接客について説明する。
【００６２】
なお、以下の説明では、ユーザが第１編集空間において編集処理することを前提として説明するが、ユーザが第２編集空間において編集処理する場合にも、操作する編集処理用タッチパネル等が異なることを除いて接客処理は同じである。
【００６３】
写真撮影プリント装置１は、画像処理部５４の機能によって、第１編集空間における落書きなどの編集処理（編集処理１）を行う（Ｓ３）。
【００６４】
編集処理用タッチパネル２１は、待機状態として、またはユーザの第１編集空間への移動完了タイミングを見計らって、落書き用の編集画面を表示し、ユーザが編集処理を行える状態とする。図１１に示す落書き用の編集画面の左側には、Ｓ２において選択された４枚の編集およびプリント出力用の静止画像から選択された編集対象画像が表示されている。ユーザは、タッチペン２２Ａ・２２Ｂの操作によって、編集対象画像を適宜切り替えることができる。図１１の中央上部には、編集処理を行うことが可能な制限時間の残り時間が表示されている。
【００６５】
また、編集画面の右側上部には、編集処理を行うためのツール類の選択領域が表示される。ツール類としては、例えば複数の種類からなるペンおよびその色、フレーム画像、および各種スタンプなどのボタンが表示され、これらのいずれかが選択されることによって所望の編集処理が行われる。図１１においては、選択可能なペン、スタンプ、フレームの種類選択のボタンやサイズ指定のボタンは、編集画面の右側から中央にかけて表示されている。なお、図１１に「おすすめ」「定番」として示されているように、編集画面におけるスタンプ種類は、その利用頻度や絵柄のテーマに応じて、グループ分類されていることが好ましい。このようなグループ分類がなされていれば、ユーザは、所望のスタンプを迅速に選択することが可能となる。また、各グループ単位で、表示スタンプ群を切り換える構成を採用すれば、スタンプの種類が膨大な場合であっても、ユーザの把握・選択がより容易なものとなる。
【００６６】
図１１では、横長の画面例となっているが、本画面のツール類の位置等を変更して縦長の画像として、編集画面を左右に分割にし、左右の利用者それぞれが、編集可能としてもよい。通常、画面に向かって左側のユーザがタッチペン２２Ａを用いて編集し、画面に向かって右側のユーザがタッチペン２２Ｂを用いて編集することになる。
【００６７】
また、編集画面下部には、消しゴム（大中小）、やりなおし（１つ・全部）などのボタンが表示され、これらのいずれかが選択されることによって所望の消去処理が行われる。
【００６８】
なお、本実施形態の写真撮影プリント装置１の編集処理では、編集対象画像の一部をスタンプ柄として用いる「くり抜きスタンプ」機能を利用することができる。「くり抜きスタンプ」機能を利用する際の具体的手順は、次の通りである。
【００６９】
まず、タッチペン２２Ａ・２２Ｂで、編集画面上の「くり抜きスタンプ」ボタンに触れることによって、「くり抜きスタンプ」機能の利用を開始する。次に、編集画面上に表示されたスタンプ形状リストから、所望のスタンプ形状を選択することによって、「くり抜きスタンプ」の形状を選択する。例えば、上記スタンプ形状リストには、四角形、丸形、三角形、星形、台形などの形状がリストアップされており、ユーザは、これら形状から所望の形状を選択する。
【００７０】
その後、ユーザが、編集画面上の編集対象画像の任意の部分にタッチペン２２Ａ・２２Ｂで触れると、編集対象画像の押圧部分を中心として上記選択形状があらわれる。この選択形状内の領域が、編集対象画像のくり抜き部分、すなわちスタンプ画像領域となる。
【００７１】
このとき、タッチペン２２Ａ・２２Ｂで編集処理用タッチパネル２１を押圧し続けた場合、上記くり抜き部分の大きさを小→中→大→中→小のように、周期的に変動させることも好ましい。これにより、ユーザは、タッチペン２２を任意のタイミングで編集処理用タッチパネル２１から離すことによって、所望の領域大きさで編集対象画像をくり抜くことが可能となる。
【００７２】
このようにして得られた編集対象画像のくり抜き画像は、自由に選択可能な「くり抜きスタンプ」として編集画面上に表示され、その後、選択されることによって、スタンプ画像として、編集対象画像上に自由に付加することができる。もちろん「くり抜きスタンプ」の付加対象となる編集対象画像は、くり抜きスタンプ」を作成する際のくり抜き元となった編集対象画像であってもよいし、「くり抜きスタンプ」の作成後に、新たな編集対象画像として選択された、くり抜き元とは異なる画像であってもよい。
【００７３】
このような「くり抜きスタンプ」を利用すれば、写真撮影プリント装置１があらかじめ用意した種類のスタンプだけでなく、自分の撮影画像の一部を、編集処理におけるスタンプ画像として利用するという、新たな楽しみ方ができることになる。
【００７４】
Ｓ３の編集処理には、多重接客を円滑に実行できるように、所定の制限時間が設けられており、制限時間の経過後、ユーザによる編集処理が完了する。
【００７５】
写真撮影プリント装置１は、Ｓ２にて編集された撮影画像をプリント排出口３１から印刷出力するとともに（Ｓ４）、ミニゲーム処理（編集処理２）を開始する（Ｓ５）。
【００７６】
Ｓ３の編集処理が完了すると、図１２乃至図１３に示すようなシール分割画面が表示される（Ｓ４）。このシール分割画面において、分割数設定処理が行われる。分割数設定処理とは、プリント時においてプリント紙に対してどのような分割で各画像を印刷するかを設定する処理である。通常の分割数設定画面は、例えば図１２に示すようになる。この分割数設定画面では、４分割、８分割、１２分割、１６分割、２０分割、２４分割、２８分割、３２分割の分割イメージが表示されており、ユーザはこれらのいずれかを選択することになる。また、図１２のシール分割画面において、上部の「ドでか２分割」ボタンをユーザが選べば、図１３のシール分割画面に画面が切り替わって、２分割の分割イメージが表示され、ユーザはこの２分割設定を選択することができる。以上のようにして、分割数設定処理が完了すると、プリント画像が確定するので、制御装置５０は、プリンタ３４に指示を与えて、プリント出力を開始させる。
【００７７】
なお、写真撮影プリント装置１は、ユーザに追加料金を投入させることと引き替えに分割数設定から印刷までの各処理を繰り返すことによって、プリント出力を２枚とするオプションモードを備えてもよい。上記のプリント出力処理には、プリンタ３４の性能やプリント出力の枚数に応じて所定のプリント時間（例えば数分間）が必要となる。
【００７８】
なお、図１２乃至図１３の画面左上部における「１０」の数字は、ユーザが操作入力を許容される残りの制限時間である。写真撮影プリント装置１は、円滑な多重接客を実現するために各処理に制限時間を設けており、この制限時間は画面上でカウントダウンされながらユーザに迅速な操作入力を促している。図１５乃至図１９の画面右上部の数字も同様である。
【００７９】
写真撮影プリント装置１は、分割数設定処理が完了すると、上記の印刷処理と並行してミニゲーム処理（編集処理２）を開始する（Ｓ５）。まず、写真撮影プリント装置１は、編集処理用タッチパネル２１に図１４に示すミニゲームのメニュー選択画面を提示する。このメニュー選択画面には、選択肢として「なにもしない」「携帯送信」「素材落書き」「人気投票」が提示される。なお、写真撮影プリント装置１は、前述のとおり、ユーザが二人単位でプレイすることを前提としているので、図１４には、左右に並んだ状態のユーザがそれぞれメニュー選択できるように左右対称のメニューボタンを配列した構成となっている。本実施形態において、２人のユーザは「なにもしない」「携帯送信」「素材落書き」については別々のメニューをそれぞれ選択することができる一方、「人気投票」については２人のユーザが共通にのみ選択できるものとしている。なお、２人のユーザが別々のメニューを選択した場合には、編集処理用タッチパネル２１を２分割して各メニューに対応する画面を表示するものとする。
【００８０】
図１４のメニュー選択画面において、ユーザが「なにもしない」を選択した場合、写真撮影プリント装置１は、それ以上の操作入力をユーザに求めることなく、編集処理用タッチパネル２１に所定のデモンストレーション画面を表示する。この場合、ユーザは、前述のプリント出力処理をそのまま待機することになる。
【００８１】
図１４のメニュー選択画面において、ユーザが「携帯送信」を選択した場合、写真撮影プリント装置１は、携帯電話機通信部２６の通信機能によって、Ｓ３において編集された編集画像またはＳ２において撮影された撮影画像をユーザの携帯電話機に送信する。この場合、写真撮影プリント装置１は、Ｓ３において編集された編集画像またはＳ２において撮影された撮影画像のうちから転送すべき画像を選択するための転送画像選択画面を編集処理用タッチパネル２１に表示する。この転送画像選択画面において、ユーザが転送すべき画像を選択すると、編集処理用タッチパネル２１では、ユーザの携帯電話機のメールアドレスの入力を受け付ける。そして、写真撮影プリント装置１の制御装置５０は、通信制御部５１、データ処理部５２、通信インタフェース２５、携帯電話機通信部２６の機能により携帯電話機用の無線通信回線を介して、選択画像のデータを上記メールアドレスに送信する。なお、上記の説明において、転送画像の選択とメールアドレスの入力とは順番が逆であってもよい。
【００８２】
図１４のメニュー選択画面において、ユーザが「人気投票」を選択した場合、写真撮影プリント装置１は、通信網Ｎを介して管理サーバ１００に蓄積された過去の編集画像データベースにアクセスし、これら編集画像データベースの編集画像を所定の一覧形式で編集処理用タッチパネル２１に表示する。そして、ユーザが、表示された編集画像の中から気に入った画像を選択して投票入力すると、この投票情報に基づいて、管理サーバ１００の編集画像データベースにおける人気投票の集計結果がリアルタイムないしは定期的に更新される。ユーザは、気に入った画像に投票するだけでなく、これまでの人気投票の集計結果を編集処理用タッチパネル２１で確認して楽しむことができる。
【００８３】
次に、図１４のメニュー選択画面において、ユーザが「素材落書き」を選択した場合の処理について詳しく説明する。この場合、写真撮影プリント装置１は、プリンタ３４のプリント出力待ち時間を有効に活用するために、編集処理用タッチパネル２１を用いてユーザに操作入力を促し、画像作成処理（編集処理２）を施す。
【００８４】
この編集処理２によって得られた編集画像は、ユーザの携帯電話機に送信される。ユーザは、この編集画像を、携帯電話機における待ち受け画面、電子メールの背景画面、バナー画像、ヘッダ画像、フッタ画像、スタンプ画像などの素材画像として活用することができる。
【００８５】
図１５は、ユーザが「素材落書き」を選択したときに編集処理用タッチパネル３０に表示されるメールアドレスの入力画面例を示す図である。図中において上部のメールアドレス表示ウインドウの下に表示されている「Ａ」「Ｂ」「Ｃ」「Ｄ」「Ｅ」「Ｆ」の各ボタンは、携帯電話機のキャリア会社種別を示すものである。このキャリア会社種別の選択入力は、携帯電話機通信部２６がユーザの携帯電話機と通信する際のデータ通信規格を規定するために用いられるだけではなく、キャリア会社種別に応じてメールアドレスの一部（例えばサブドメイン名）の入力を補助するためにも用いられる。
【００８６】
特定のキャリア会社が運用する携帯電話機の通信規格においては、メール送信において特殊な機能を備えているものがある。例えば、株式会社エヌ・ティ・ティ・ドコモの第三世代携帯電話機（登録商標ＦＯＭＡ）では、「デコメール」「デコメ」（いずれも登録商標）と称される装飾機能を備えたメールを利用することができる。このメールは、ＨＴＭＬ形式からなっており、メール文面の背景色の設定や変更、文字の装飾、サイズ変更などが選択できるとともに、画像の貼り付け、メロディやアニメーションの挿入といった高度な装飾機能を利用することができる。以下、このような特殊な装飾機能を備えたメールを「装飾メール」と総称することにする。
【００８７】
写真撮影プリント装置１は、前述のキャリア会社種別の選択に応じて「素材落書き」において編集される編集画像を装飾メールに適した形式で作成すべきか、特別な装飾機能を有しない通常のメールに適した形式で作成すべきかを自動判定する。なお「素材落書き」における画像作成は、撮影空間において撮影した画像を編集するものであってもよいし、まったく撮影画像と無関係の画像を新規に作成するものであってもよい。
【００８８】
図１６乃至図１７は、写真撮影プリント装置１が「素材落書き」として装飾メールに適した形式で落書き処理（デコメ落書き）を実行するときの画面例を示す図である。
【００８９】
図１６では、画面中央に携帯電話の画面部をモチーフとした編集領域が儲けられており、その左右には落書き処理に必要とされる、ペン入力色の選択と背景色の切り換え選択ボタン（図中右側の２つのボタン）、消しゴムボタン（図中右側）、入力ステップのアンドゥ−やその取消を指示する処理ボタン（消しゴムボタンの右側）、編集画像の背景色やペン入力色を指定するためのカラーパレット（図中下側）などが設けられている。
【００９０】
また、図１６の上部には、ユーザが落書き処理を行うときの参考見本となる「落書き見本」画像が３枚表示されている。写真撮影プリント装置１は「落書き見本」画像を多数（例えば数百枚程度）保持しており、ユーザが所定の切り換え操作（例えば３枚の「落書き見本」のいずれかをクリックする操作）を行うことによって、画面に表示されている「落書き見本」を順次切り換えることができる。なお、ユーザの所定操作によって、「落書き見本」画像をそのまま編集領域にコピーする構成を採用してもよい。
【００９１】
図１７の画面例では、図１６におけるカラーパレットに代えて、ペン入力による入力線種を選択するための線種パレットが表示されている。この線種パレットでは、入力線の太さのサイズを３種類から選択できる他、入力線の形状を「ノーマル」「ふちどり」「カクぷにょ」「カクカク」「クレヨン」「立体」のイメージからなる複数の線形状グループの中から切り換え選択することが可能となっている。また、同図では表示していないが、写真撮影プリント装置において慣用される「スタンプ」画像（たとえば、ハート形状、星形状等）を選択して、画像作成時に利用可能となっていてもよい。
【００９２】
このような画面上の操作入力によって実現される落書き処理（デコメ落書き）においては、ユーザが所定の操作入力を行うことによって、装飾メール（ＨＴＭＬ形式など）の装飾機能を最大限に活用した編集画像、例えばアニメーション入りの編集画像を作成することが可能となっている。ユーザは、この編集画像を所有の携帯電話機に送信することによって、ＨＴＭＬなどの高度なコンピュータ知識を有していなくとも、自分で高度に装飾編集した所望の画像（素材画像）を手軽に入手することが可能となる。
【００９３】
デコメ落書きにおいて、「素材落書き」の対象となる画像のデータを、例えば透過ＧＩＦのデータ形式からなる装飾部分のデータと背景画像部分のデータ（ＧＩＦやＪＰＥＧ）が層状に重なっている構成とすることも好ましい。このようにすれば、装飾部分のデータと背景画像部分のデータとを独立に扱って色指定処理などを施すことができるので、メールの背景色を変更したり、メールの背景色だけを無色にして装飾部分のみが絵文字状に浮き上がってみえるようにしたりすることが可能となる。また、Ｓ３の画像編集時に作成したくりぬきスタンプ（スタンプ用描画に撮影画像の一部を合成したもの）を、「素材落書き」の素材作成ツールとして使用することもできる。
【００９４】
これに対して、図１８乃至図１９は、図１６乃至図１７とほぼ同様の画面例となっているが、これらは、写真撮影プリント装置１が「素材落書き」として、特別な画像装飾機能を有しない通常のメール形式で落書き処理（待ち受け落書き）を実行するときの画面例を示す図である。なお、この落書き処理を「待ち受け落書き」と別称するのは、この落書き処理によって得られた編集画像は、送信先の携帯電話機で待ち受け画面用の画像として利用されるケースが多いことを想定しているからである。
【００９５】
前述の株式会社エヌ・ティ・ティ・ドコモの第三世代携帯電話機（ＦＯＭＡ）では「デコメール」「デコメ」以外に、特別の画像装飾機能を有しないテキストベースのメール送受信を行うこともできる。したがって、このような携帯電話機を編集画像の送信先として指定する場合には、図１６乃至図１７の編集画面と図１８乃至図１９の編集画面とを随時切り換え可能として、適宜の切り換えボタンなどを設けておくとよい。これにより、ユーザは、装飾メールに適した画像、特別な装飾機能を有しない通常のメールに適した画像のいずれを編集対象とするかを自在に選択変更することが可能となる。なお、並行されるＳ４の印刷処理およびＳ５の編集処理には、多重接客を円滑に実行できるように、所定の制限時間が設けられている。
【００９６】
図２０は、写真撮影プリント装置１が上記処理の完了後、制御装置５０、通信制御部５１、および携帯電話機通信部２６の各機能によって、ユーザの携帯電話機２００にメールを送信するときの処理フローを示すフローチャートである。
【００９７】
まず、制御装置５０ないし通信制御部５１は、図１４のメニュー選択画面におけるユーザの操作入力結果などに基づいて、ユーザがＳ２の撮影画像ないしＳ３の編集画像（これらを「写真画像」と総称する）の添付を指示しているか否かを判定する（Ｓ２１）。Ｓ２１の判定結果がＹｅｓであれば、制御装置５０ないし通信制御部５１は携帯電話機通信部２６を介して写真画像を添付したメールをユーザの携帯電話機２００に送信する。
【００９８】
Ｓ２１の判定結果がＮｏであれば、制御装置５０ないし通信制御部５１は、図１４のメニュー選択画面におけるユーザの操作入力結果などに基づいて、メールに「素材落書き」の作成画像を添付するか否かを判定する（Ｓ２２）。Ｓ２２の判定結果がＮｏであれば、通信制御部５１は携帯電話機通信部２６を介してテキスト情報のみからなるメールをユーザの携帯電話機２００に送信する。
【００９９】
Ｓ２２の判定結果がＹｅｓであれば、制御装置５０ないし通信制御部５１は、メールのサブアドレスの一部（キャリア会社の種類）に基づいて、送信先の携帯電話機２００が株式会社エヌ・ティ・ティ・ドコモの第三世代携帯電話機（ＦＯＭＡ）であるか否かを判定する（Ｓ２３）。
【０１００】
Ｓ２３の判定結果がＹｅｓであれば、制御装置５０ないし通信制御部５１は、メール送信先の携帯電話機２００はＦＯＭＡであって、デコメ（ＨＴＭＬメール）を受信可能であることを特定できるので、素材画像として作成したデコメ（ＨＴＭＬメール）をユーザの携帯電話機２００に送信する。このとき、装飾画像データはその範囲を矩形で切り出された状態でメールの一部として送信される。
【０１０１】
Ｓ２４の判定結果がＹｅｓであれば、制御装置５０ないし通信制御部５１は、メール送信先の携帯電話機２００はＦＯＭＡではなく、デコメ（ＨＴＭＬメール）を受信不能であることを特定できるので、素材画像として作成した待ち受け画像にアクセスするためのリンク情報を付加したメールをユーザの携帯電話機２００に送信する。
【０１０２】
すなわち、写真撮影プリント装置１は、画像作成手段にて作成された画像を送信すべき携帯電話機の種別を判定し、その判定結果に基づいて画像を装飾メールに適した形式で作成すべきか、特別な装飾機能を有しない通常のメールに適した形式で作成すべきかを自動判定し、さらに画像作成手段にて作成された画像を携帯電話機の種別に適したデータ形式に変換して携帯電話機に送信するものとなっている。
【０１０３】
図２１は、図２０のメール送信フローによって送信されたメールを携帯電話機２００のディスプレイで確認したときの様子を示す画面表示例である。図２１（ａ）は、メール送信先の携帯電話機２００がＦＯＭＡであって、デコメを受信表示したときの画面表示例である。図２１（ｂ）は、メール送信先の携帯電話機２００がＦＯＭＡ以外の携帯電話機であって装飾機能を備えない画像添付メールを受信表示したときの画面表示例である。図２１（ａ）（ｂ）における「手書きimg」の領域には「素材落書き」で作成した画像が表示される。図２１（ａ）（ｂ）では、許容されるほぼ最大の領域を「手書きimg」の領域としているが、「手書きimg」の領域大きさは「素材落書き」で作成した画像の大きさないし画素数によって変化する。「手書きimg」の領域は、その他領域の背景色と異なって、デコメ特有の装飾部分のデータ（透過ＧＩＦ）と背景画像部分のデータ（ＧＩＦやＪＰＥＧ）が重畳的に重なっている画像として指定色などで表示される。
【０１０４】
他方、上記の「素材落書き」を、前述の第１編集空間での落書き処理時に併せて行う構成も考えられる。しかし通常、第１編集空間での落書き処理は、ユーザの要望に応じて、撮影空間Ｒ１における撮影処理、第２編集空間における印刷処理よりも長い時間を確保することが望まれている。それゆえ、写真撮影プリント装置１の三重接客では、第１編集空間での落書き処理が全体の律速処理となっており、第１編集空間において計２回の落書き処理を行うことにすると、各落書き処理の時間を短く設定するか、装置全体の回転率を減少させるかの不具合を招く。
【０１０５】
したがって、写真撮影プリント装置１では、図２１のタイムチャートに示すように、第１編集空間での落書き処理時（編集時間１）の後、プリンタ３４による印刷出力が行われる印刷時間と並行して「素材落書き」の他「携帯送信」「人気投票」の各処理を実行する構成となっている。なお、前述のとおり、写真撮影プリント装置１によるプリント出力の枚数は１枚の場合と２枚の場合とがある。
【０１０６】
また、図２１では「素材落書き」の編集時間２の完了は、印刷時間（２枚目印刷の場合を含む）の完了より遅くなっているが、編集時間２の完了タイミングは、装置全体における三重接客の効率（回転率）をあまり悪化させないように設定することが好ましい。逆に、編集時間２の完了タイミングを遅く設定するのであれば、例えば、撮影空間Ｒ１における撮影時間を長く設定しても、装置全体の回転率には影響がないことになる。
【０１０７】
さらに、ユーザが「素材落書き」を選択実行したときには、通常のプレイ料金に追加して課金しても良い。そうすることで、写真撮影プリント装置１を設置する店舗側の収益を増加させることができる。
【０１０８】
なお、図２１のタイムチャートに示されるように、「素材落書き」の処理時間は「携帯送信」「人気投票」の各処理時間より長く設定される場合が多いことに着目して、図２２のように「素材落書き」の一部処理（図２２では、メールアドレス入力時間と編集時間２の一部）を通常より早める設計としてもよい。このような設計とすれば、編集時間１は短くなるが、装置全体の回転率を犠牲にすることなく、編集時間２を長く設定することができるので携帯電話機（その他ＰＤＡなどを含む携帯端末）に送信するための画像を編集する「素材落書き」の時間を比較的長く確保することが可能となる。
【０１０９】
図２２の「素材落書き」において、メールアドレスの入力処理が規定時間より短い時間で完了した場合には、その時間分、編集時間２（落書き処理）の開始を早めてもよい。そうすれば、さらに、編集時間２を長く確保することが容易となる。より詳細には、二人のユーザの両方のメールアドレス入力が規定時間より短い時間で完了した場合には、そのユーザはより長く落書処理することが可能となる。このとき、画面の左右において、一方は図１５の表示、他方は図１６ないし図１９の表示となっている。
【０１１０】
図２２の時間設計を実現するためには、第１編集空間における落書き処理が行われる前に、「携帯送信」「人気投票」ではなく「素材落書き」の処理が選択されることが確定されている必要があるので、図１４のメニュー選択画面を、第１編集空間における落書き処理より前にユーザに提示して、メニュー選択させておく必要がある。
【０１１１】
なお、本実施形態では、携帯電話機２００のメールアドレスの入力処理を必須としているが、落書き処理をより長く確保するためには、メールアドレスの入力以外の方法によって携帯電話機のメールアドレスを入手してもよい。例えば、写真撮影プリント装置１が提示するメールアドレスにユーザが空メールを送信することによって、写真撮影プリント装置１は携帯電話機２００のメールアドレス情報を取得することができる。このような場合には、空メールの返信としてユーザに所定のＵＲＬを知らせ、さらに、ユーザが写真撮影プリント装置１が提示する所定の識別（ＩＤ）番号を当該ＵＲＬのウェブサイトで入力することによって、写真画像、デコメ画像、待受画像を取得する構成としてもよい。この構成によれば、写真撮影プリント装置１は、空メールの受信に基づくメールアドレス情報だけでなく、携帯電話機２００が上記ＵＲＬにアクセスするときに、携帯電話機２００の機種情報を取得して、この機種情報に基づいて「素材落書き」での作成画像を送信すべき携帯電話機２００の種別を判定することが可能となる。
【０１１２】
以上の各処理を完了すると、写真撮影プリント装置１の制御装置５０は、編集処理用タッチパネル３０の表示を「デモ画面」に戻し、第２編集空間における写真撮影プリント装置１の接客を完了する。ユーザは、プリンタ３４にて出力され、プリント排出口３１から排出される写真プリントを受け取って、一連のプレイ動作を終了する。
【０１１３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１１４】
なお、本実施形態の写真撮影プリント装置の各部や各処理ステップは、ＣＰＵなどの演算手段が、ＲＯＭ（Read Only Memory）やＲＡＭなどの記憶手段に記憶されたプログラムを実行し、キーボードなどの入力手段、ディスプレイなどの出力手段、あるいは、インタフェース回路などの通信手段を制御することにより実現することができる。したがって、これらの手段を有するコンピュータが、前記プログラムを記録した記録媒体を読み取り、当該プログラムを実行するだけで、本実施形態の写真撮影プリント装置の各種機能および各種処理を実現することができる。また、前記プログラムをリムーバブルな記録媒体に記録することにより、任意のコンピュータ上で前記の各種機能および各種処理を実現することができる。
【０１１５】
この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【０１１６】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【０１１７】
また、前記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【０１１８】
また、インターネットを含む通信ネットワークを接続可能なシステム構成であれば、通信ネットワークからプログラムをダウンロードするように流動的にプログラムを担持する記録媒体であることが好ましい。
【０１１９】
さらに、このように通信ネットワークからプログラムをダウンロードする場合には、そのダウンロード用のプログラムは予め本体装置に格納しておくか、あるいは別な記録媒体からインストールされるものであることが好ましい。
【産業上の利用可能性】
【０１２０】
本発明は、写真撮影を行うとともに、その撮影画像に編集処理を施してプリント出力する写真撮影プリント装置一般に適用できる。
【図面の簡単な説明】
【０１２１】
【図１】本発明の一実施形態に係る写真撮影プリント装置の機能構成を示すブロック図である。
【図２】上記写真撮影プリント装置の通信接続構成を示す図である。
【図３】上記写真撮影プリント装置の外観を示した斜視図である。
【図４】上記写真撮影プリント装置の外観を示した他の斜視図である。
【図５】第３ユニットの操作面の外観を示した図である。
【図６】上記写真撮影プリント装置における利用者の流れを示す模式図である。
【図７】上記写真撮影プリント装置における動作フローを示すフローチャートである。
【図８】撮影画面の表示例を示す図である。
【図９】撮影確認画面の表示例を示す図である。
【図１０】画像選択画面の表示例を示す図である。
【図１１】落書き用の編集画面の表示例を示す図である。
【図１２】シール分割画面の表示例を示す図である。
【図１３】シール分割画面の更なる表示例を示す図である。
【図１４】メニュー選択画面の表示例を示す図である。
【図１５】メールアドレス入力画面の表示例を示す図である。
【図１６】落書き処理（デコメ落書き）を実行するときの画面例を示す図である。
【図１７】落書き処理（デコメ落書き）を実行するときの更なる画面例を示す図である。
【図１８】落書き処理（待ち受け落書き）を実行するときの画面例を示す図である。
【図１９】落書き処理（待ち受け落書き）を実行するときの更なる画面例を示す図である。
【図２０】メール送信処理のフローを示すフローチャートである。
【図２１】（ａ）は、携帯電話機がデコメを受信表示したときの画面表示例であり、（ｂ）は、装飾機能を備えない画像添付メールを受信表示したときの画面表示例である。
【図２２】写真撮影プリント装置における各処理の時間配分の例を示すタイムチャートである。
【図２３】写真撮影プリント装置における各処理の時間配分の更なる例を示すタイムチャートである。
【符号の説明】
【０１２２】
Ｎ      通信網
１２    カメラ（撮影手段）
２１    編集処理用タッチパネル
２６    携帯電話機通信部（通信制御手段）
３０    編集処理用タッチパネル
３４    プリンタ（出力手段）
５１    通信制御部（通信制御手段）
【図１】
0004670681.tif 000002
【図２】
0004670681.tif 000003
【図３】
0004670681.tif 000004
【図４】
0004670681.tif 000005
【図５】
0004670681.tif 000006
【図６】
0004670681.tif 000007
【図７】
0004670681.tif 000008
【図８】
0004670681.tif 000009
【図９】
0004670681.tif 000010
【図１０】
0004670681.tif 000011
【図１１】
0004670681.tif 000012
【図１４】
0004670681.tif 000013
【図２０】
0004670681.tif 000014
【図２１】
0004670681.tif 000015
【図２２】
0004670681.tif 000016
【図２３】
0004670681.tif 000017
【図１２】
0004670681.tif 000018
【図１３】
0004670681.tif 000019
【図１５】
0004670681.tif 000020
【図１６】
0004670681.tif 000021
【図１７】
0004670681.tif 000022
【図１８】
0004670681.tif 000023
【図１９】
0004670681.tif 000024